(57)【要約】【課題】ガス開成中の外部衝撃による誤遮断を防止すること。【解決手段】閉時昇圧電源３により閉弁時に電池電圧以上の電圧を電磁弁６に印加する構成としたことにより、電磁弁６の保持力が高められるので衝撃による誤遮断の防止が可能となる。【選択図】図１
2005265137.tif 000002
【特許請求の範囲】
【請求項１】
ガス通路中に設けられ、電気的にガス通路の開閉を行う自己保持型の電磁弁と、該電磁弁に電流を供給する電池と、該電磁弁の開閉の制御を行う制御回路とを備え、前記制御回路は、閉弁時に前記電池電圧以上の電圧を前記電磁弁に印加する構成としたガス遮断装置。
【請求項２】
制御回路は昇圧回路を有し、電磁弁の開閉時にこの昇圧回路で昇圧された電圧を電磁弁に印加する構成とした請求項１に記載のガス遮断装置。
【請求項３】
電磁弁の開時及び閉時に共用の昇圧回路を使用する構成とした請求項１又は２に記載のガス遮断装置。
【請求項４】
電磁弁の開時と閉時で昇圧回路の昇圧電圧を可変できる構成とした請求項３に記載のガス遮断装置。
【請求項５】
電磁弁のガス通路開成保持時に電池電圧をコンデンサに充電しておき、閉弁時に前記電池電圧にプラスして前記電磁弁に印加する構成とした請求項１〜４のいずれか１項に記載のガス遮断装置。
【発明の詳細な説明】
【技術分野】
【０００１】
本発明はガスマイコンメータ等のガス遮断装置に関するものである。
【背景技術】
【０００２】
従来、この種のガス遮断装置は電磁弁（本文献では遮断弁）の開動作にはＯＮ／ＯＦＦ動作で得られた昇圧電圧（本文献では電力）を閉動作とは逆方向に印加して行っている。また、閉動作は電池電圧を直接電磁弁へ印加している（例えば、特許文献１参照）。
【特許文献１】特開平７−２８０１２８号公報
【発明の開示】
【発明が解決しようとする課題】
【０００３】
しかしながら、前記従来の構成では、電磁弁閉時は電池電圧を直接電磁弁へ印加する構成なので、電池電圧と電磁弁コイル抵抗で決定される電流以上には電磁弁に印加できず、電磁弁駆動部の異物や粘着物の原因で確実に遮断できないという課題を有していた。また、自己保持型の電磁弁は、ガス通路開成中は電池消耗を防ぐため、開時に通電後、常時は永久磁石で開成を保持している。そのためマイコンメータ等外置きの機器では、野球ボールや自転車のハンドルなどがぶつかるため、その衝撃で永久磁石が開成を保持できず遮断してしまいガスが使用できないという課題があった。
【０００４】
本発明は、前記従来の課題を解決するもので、遮断動作の信頼性を向上するとともに衝撃に対しての誤遮断を防ぐ構成としたガス遮断装置を提供することを目的とする。
【課題を解決するための手段】
【０００５】
前記従来の課題を解決するために、本発明のガス遮断装置は、閉弁時に電池電圧以上の電圧を前記電磁弁に印加する構成としたものである。
【０００６】
これによって、電磁弁には電池電圧と電磁弁の抵抗値で決定される電流以上の電流が印加されて異物かみこみの場合も確実に遮断可能となるとともに、永久磁石の磁力も強くできるので衝撃等による誤遮断も防止できる。
【０００７】
また、本発明のガス遮断装置は、昇圧回路を電磁弁の開時及び閉時に共用の構成としたとしたものである。
【０００８】
これによって、新たな昇圧回路を必要とすることなく閉時の動作を確実と出来、かつ、電磁石の磁力を上げることができるので開成時の誤遮断を防止できる。
【発明の効果】
【０００９】
本発明のガス遮断装置は、特に、ガス開成中の外部衝撃による誤遮断を防止することができる。
【発明を実施するための最良の形態】
【００１０】
第１の発明は、ガス通路中に設けられ、電気的にガス通路の開閉を行う自己保持型の電磁弁と、該電磁弁に電流を供給する電池と、該電磁弁の開閉の制御を行う制御回路とを備え、前記制御回路は、閉弁時に前記電池電圧以上の電圧を電磁弁に印加する構成とすることにより、電磁弁の開成時の保持力を強くすることができるので誤遮断を防止することができる。
【００１１】
第２の発明は、特に、第１の発明のガス遮断装置を、電磁弁の開閉時に昇圧回路で昇圧された電圧を電磁弁に印加する構成とすることにより、電池電圧以上の電圧が発生されることとなり容易に誤遮断を防止することができる。
【００１２】
第３の発明は、特に、第１または第２の発明のガス遮断装置の昇圧回路を電磁弁の開時及び閉時に共用の構成とすることにより、少ない部品で構成されかつ昇圧回路の一部が故障した場合は閉動作に支障をきたすが、同時に開動作も実施されないのでフェ―ルセーフの構成とすることができる。
【００１３】
第４の発明は、特に、第３の発明のガス遮断装置を電磁弁の開時と閉時で昇圧回路の昇圧電圧を可変できる構成としたことにより、閉時にも開時と同じ大きな電流を流し、その電流により閉動作を阻害する場合があるが、このようなことがなく、遮断に必要な最適な電流とすることができる。
【００１４】
第５の発明は、特に、第１〜４のいずれか１つの発明のガス遮断装置を電池電圧をコンデンサに充電しておき、閉弁時に前記電池電圧にプラスして前記電磁弁に印加する構成としたことにより、発振による昇圧回路を必要とせず簡易的に誤遮断を防止することができる。
【００１５】
以下、本発明の実施の形態について、図面を参照しながら説明する。なお、この実施の形態によって本発明が限定されるものではない。
【００１６】
（実施の形態１）
図１は、本発明の第１の実施形態におけるガス遮断装置の制御回路図を示すものである。
【００１７】
図１において、電磁弁６の閉動作時、閉時電源３を電池電圧に加算して電磁弁６に印加するものであり、電池１と閉時電源３とは有機的に関連して電池電圧以上の電圧を電磁弁６に印加するよう構成している。
【００１８】
また、図２は自己保持型電磁弁の構造図である。また、図３は弁閉時に電磁弁６に印加される電圧波形を示す。
【００１９】
以上のように構成されたガス遮断装置について、以下その動作、作用を説明する。
【００２０】
ガス遮断装置は図２に示す自己保持型電磁弁がガス供給装置から末端のガス器具の途中に設けられ、その電磁弁は図１で示される制御回路により開閉動作が行われる。
【００２１】
図２の自己保持型電磁弁は永久磁石１５、プランジャー１６、コイル１７、バネ１８、弁座１９で構成され、ガス開成状態の時は図に示すようにプランジャー１６は永久磁石１５により吸着されてガスは１９Ａで示されるように流れている。この時コイル１７には通電されていない。ガス遮断時にはコイル１７に永久磁石１５の磁力を打ち消す方向に電流を流してバネ１８により弁座１９を閉じる。開時はコイル１７にこれとは逆方向に電流を流し、プランジャー１６を吸い付けガスを開成状態とする。その後は永久磁石１５の磁力のみで開成状態を保持する。
【００２２】
制御回路は、３Ｖの電池１、閉時昇圧電源３、開時昇圧電源１１、およびそれらの駆動素子で構成され、自己保持型の電磁弁６を制御する。ガス開成状態の時、閉時昇圧電源３のコンデンサ２には電池電圧が充電されている。ガス閉動作時には、閉時昇圧電源３のトランジスタ４が導通し、コンデンサ２のグランドを電池１のプラスに導通させ６Ｖに昇圧させる。また、同時にトランジスタ５が導通し、その昇圧電圧を電磁弁６に印加して永久磁石１５の磁力を消失させガス供給を遮断する。この電圧波形を図３の２０に示す。２１は電池のみの波形を示す。
【００２３】
次に開動作を説明する。開動作時まず開時昇圧電源１１のトランジスタ１４を発振させる。この発振によりコイル１３がスパイク電圧を発生し、それをコンデンサ１２に充電する。この電圧が１３Ｖに昇圧されたことをコンパレータ９で検出してトランジスタ１０が導通し、コンデンサ１２の昇圧電圧を電磁弁６に逆方向に印加して電磁弁６を開成する。
【００２４】
以上のように、本実施の形態においては閉弁時に電池電圧以上の電圧を電磁弁に印加する構成とすることにより、電磁弁の開成時の保持力を強くすることができるので誤遮断を防止することができる。
【００２５】
また、本実施の形態では閉弁時に電池電圧にプラスして前記電磁弁に印加する構成としたことにより、発振による昇圧回路を必要とせず簡易的に誤遮断を防止することができる。
【００２６】
（実施の形態２）
図４は本発明の第２の実施形態におけるガス遮断装置の制御回路図を示すものである。図５は弁閉時に電磁弁６に印加されるその電圧波形を示す。
【００２７】
図４は、本発明の第１〜第４の実施形態を示す。１１は電磁弁６の開時および閉時に印加される共用の昇圧電源である。閉時、まず、昇圧電源１１のトランジスタ１４が発振して昇圧電圧をコンデンサ１２へ充電する。この電圧が電磁弁を遮断する最適電圧８Ｖとなるとコンパレータ２２で検出し、トランジスタ５および２５を導通して電磁弁６へ流す。電磁弁へあまり大きな電流を流すとプランジャー１６が磁化され遮断を阻害するため最適電圧を８Ｖとしている。開時は前述のとおりコンデンサ１２が１３Ｖになるとトランジスタ７、１０、２４が導通し、閉時とは逆方向に電磁弁６に１３Ｖを印加して開弁する。その後は永久磁石１５により開成を保持する。このように昇圧回路を有し、開閉時共用し、また、各電圧値を８Ｖ、１３Ｖと独立させているので少ない部品でかつ確実に閉時の電圧を高めることができ、永久磁石１５の磁力を強くできガス開成中の外部衝撃による誤遮断を防止することができる。
【産業上の利用可能性】
【００２８】
以上のように、本発明にかかるガス遮断装置は、外部衝撃による誤遮断を防止することが可能となるので、マイコンメータやその他ガス設備器具等の用途にも適用できる。
【図面の簡単な説明】
【００２９】
【図１】本発明の実施の形態１におけるガス遮断装置の制御回路図
【図２】本発明の実施の形態１におけるガス遮断装置の自己保持型電磁弁の構造図
【図３】本発明の実施の形態１におけるガス遮断装置の閉時電圧波形図
【図４】本発明の実施の形態２におけるガス遮断装置の制御回路図
【図５】本発明の実施の形態２におけるガス遮断装置の閉時電圧波形図
【符号の説明】
【００３０】
１  電池
２  コンデンサ
３  閉時昇圧電源（閉時の昇圧回路）
６  電磁弁
１１  開時昇圧電源（閉時の昇圧回路）
【図１】
2005265137.tif 000003
【図２】
2005265137.tif 000004
【図３】
2005265137.tif 000005
【図４】
2005265137.tif 000006
【図５】
2005265137.tif 000007